(57)【要約】【課題】駆動体を一つ用いるだけで多方向キーの複数方向への揺動を可能とし、従来例に比し部品点数の削減を可能とする。【解決手段】多方向キー４１とセンタキー４２を有する多方向スイッチは、多方向キー４１を揺動自在に支持する駆動体３９と、駆動体３９に対する多方向キー４１の揺動軸と直交する軸回りに駆動体３９を揺動自在に支持するベース３８を備え、センタキー４２は多方向キー４１の操作部４１ａで囲まれた中央凹部４１ｂに位置して上下動可能に多方向キー４１に保持され、多方向キー４１の揺動は駆動体３９と多方向キー４１の一方に設けられた一対の軸が他方に設けられた一対の穴に挿入支持されて可能とされ、駆動体３９の揺動はベース３８と駆動体３９の一方に設けられた一対の軸が他方に設けられた一対の穴に挿入支持されて可能とされ、多方向キー４１の前記一対の軸もしくは穴は操作部４１ａの裏面に形成された一対の突出部４１ｆに設けられる。【選択図】図３
2016066513.tif 000002
【特許請求の範囲】
【請求項１】
多方向キーとセンタキーとを有する多方向スイッチであって、
プリント配線板と、
前記プリント配線板上に構成され、前記センタキーの押し下げ操作により操作される中央スイッチと、
前記中央スイッチを囲む円周上に配列されて前記プリント配線板上に複数構成され、前記多方向キーの傾倒操作により操作される周辺スイッチと、
前記多方向キーを揺動自在に支持する駆動体と、
前記複数の周辺スイッチを囲んで前記プリント配線板上に実装され、前記駆動体に対する前記多方向キーの揺動軸と直交する軸回りに前記駆動体を揺動自在に支持するベースとを備え、
前記センタキーは前記多方向キーの環状をなす操作部で囲まれた中央凹部に位置して上下動可能に前記多方向キーに保持され、
前記駆動体に対する前記多方向キーの揺動は、前記駆動体と前記多方向キーの一方に設けられた一対の軸が他方に設けられた一対の穴に挿入支持されることによって可能とされ、
前記ベースに対する前記駆動体の揺動は、前記ベースと前記駆動体の一方に設けられた一対の軸が他方に設けられた一対の穴に挿入支持されることによって可能とされており、
前記多方向キーの前記一対の軸もしくは穴は、前記操作部の裏面に突出形成された一対の突出部に設けられていることを特徴とする多方向スイッチ。
【請求項２】
請求項１記載の多方向スイッチにおいて、
前記センタキーは前記中央凹部の底面に形成された一対の窓に挿入される一対の抜け止め片を備え、
前記抜け止め片の先端に形成されている爪が前記窓の周縁に引っかかることで前記センタキーは抜け止めされていることを特徴とする多方向スイッチ。
【請求項３】
請求項１又は２記載の多方向スイッチにおいて、
前記多方向キー及び前記センタキーはそれぞれ前記各周辺スイッチ及び前記中央スイッチに向かって延びる押し棒を備えていることを特徴とする多方向スイッチ。
【請求項４】
請求項３記載の多方向スイッチにおいて、
前記各周辺スイッチと前記中央スイッチとを覆うラバーシートが前記ベース内に配置され、
前記各押し棒の先端は前記ラバーシートの上面と接していることを特徴とする多方向スイッチ。
【請求項５】
請求項４記載の多方向スイッチにおいて、
前記各周辺スイッチ及び前記中央スイッチがそれぞれ位置する部分において、前記ラバーシートの下面と前記各周辺スイッチ及び前記中央スイッチとの各間には隙間が設けられていることを特徴とする多方向スイッチ。
【請求項６】
請求項１乃至５記載のいずれかの多方向スイッチにおいて、
前記各周辺スイッチ及び前記中央スイッチは、それぞれ前記プリント配線板に形成された固定接点と、前記固定接点上に配置されたドーム状をなす可動接点とよりなり、
前記各周辺スイッチ及び前記中央スイッチはカバーシートによって覆われていることを特徴とする多方向スイッチ。
【発明の詳細な説明】
【技術分野】
【０００１】
この発明は多方向キーとセンタキーとを有する多方向スイッチに関する。
【背景技術】
【０００２】
図９及び１０はこの種の多方向スイッチの従来例として特許文献１に記載されている構成を示したものであり、図９は断面構造を示し、図１０は各部に分解した状態を示す。
【０００３】
略箱状をなすケース１１は上面に開口１１ａを有しており、ケース１１の下面には保持体１２が配置されている。枠状をなす第一の駆動体１３の対向する両側壁には一対の軸孔１３ａが設けられており、これら軸孔１３ａが保持体１２の上面の一対の軸支部１２ａに軸支されて、第一の軸線１２ｂが構成され、第一の駆動体１３は保持体１２に対し、第一の軸線１２ｂ回りに回動可能に保持されている。
【０００４】
第一の駆動体１３の一対の軸孔１３ａと略直交した方向には一対の軸孔１３ｂが設けられており、これら軸孔１３ｂに対応して第二の駆動体１４には一対の軸部１４ａが外方に突出されている。一対の軸部１４ａは軸孔１３ｂにそれぞれ軸支されて、第二の軸線１４ｂが構成され、第二の駆動体１４は第一の駆動体１３に対し、第二の軸線１４ｂ回りに回動可能に保持されている。このような保持構造により、第二の駆動体１４は保持体１２の上面に対し、複数方向へ揺動可能とされている。第二の駆動体１４の外周の４箇所には押圧部１４ｃが突出されている。
【０００５】
略円盤状をなす操作体１５の中央には開口部１５ａが設けられ、開口部１５ａの周囲には前後左右に操作部１５ｂが形成されている。操作体１５は開口部１５ａの下部に設けられてた孔状の係止部１５ｃが第二の駆動体１４の外側面の係合部１４ｄに係合されて第二の駆動体１４に係止固定されている。
【０００６】
略円筒状の釦体１６は第二の駆動体１４の内側と操作体１５の開口部１５ａ内を挿通して係合孔１６ａが第二の駆動体１４の内側面の係止部１４ｅと係合され、第二の駆動体１４内に所定範囲、上下動可能に保持されている。釦体１６の外周の前後左右の４方向には外方へアーム部１６ｂがそれぞれ延出されており、これらアーム部１６ｂに対向した下方には、保持体１２の上面から略壁状の規制部１２ｃが上方へそれぞれ突出されている。釦体１６の内側には押圧部１６ｃが下方に延出されている。
【０００７】
配線基板１７の上面には中央スイッチ接点１８が配設され、さらに第二の駆動体１４の押圧部１４ｃにそれぞれ対向して外スイッチ接点１９が配設されている。
【０００８】
押圧体２０は保持体１２の中央ガイド部１２ｄ、外ガイド部１２ｅ内を上下動可能にそれぞれ挿通されている。配線基板１７の下面はカバー２１によって覆われ、ビス２２によってケース１１、保持体１２、配線基板１７及びカバー２１は締結固定されている。
【０００９】
上記のような構成を有する多方向スイッチでは、釦体１６を押圧操作すると、釦体１６が第二の駆動体１４の内側にガイドされて下方へ移動し、押圧部１６ｃが押圧体２０を介して中央スイッチ接点１８の押釦１８ａを押し下げて中央スイッチ接点１８の電気的接離が行われる。一方、操作体１５を揺動操作して第二の駆動体１４を揺動させると、押圧部１４ｃが押圧体２０を介して、対向する外スイッチ接点１９の押釦１９ａを押し下げて外スイッチ接点１９の電気的接離が行われるものとなっている。
【先行技術文献】
【特許文献】
【００１０】
【特許文献１】特開２０１２−４８８７６号公報
【発明の概要】
【発明が解決しようとする課題】
【００１１】
上述したような構成を有する従来の多方向スイッチでは、保持体１２に対し、第一の駆動体１３が第一の軸線１２ｂ回りに回動すると共に、第二の駆動体１４が第一の駆動体１３に対し、第一の軸線１２ｂと略直交する第二の軸線１４ｂ回りに回動することによって、操作体１５の複数方向への揺動が可能となっており、操作体の複数方向への揺動を可能とし、つまり多方向キーである操作体の多方向への傾倒操作を可能とするために、駆動体を二つ用いるものとなっている。
【００１２】
この発明の目的は駆動体を一つ用いるだけで多方向キーの複数方向への揺動を可能とし、よって従来に比し、部品点数を削減することができる多方向スイッチを提供することにある。
【課題を解決するための手段】
【００１３】
請求項１の発明によれば、多方向キーとセンタキーとを有する多方向スイッチは、プリント配線板と、プリント配線板上に構成され、センタキーの押し下げ操作により操作される中央スイッチと、中央スイッチを囲む円周上に配列されてプリント配線板上に複数構成され、多方向キーの傾倒操作により操作される周辺スイッチと、多方向キーを揺動自在に支持する駆動体と、複数の周辺スイッチを囲んでプリント配線板上に実装され、駆動体に対する多方向キーの揺動軸と直交する軸回りに駆動体を揺動自在に支持するベースとを備え、センタキーは多方向キーの環状をなす操作部で囲まれた中央凹部に位置して上下動可能に多方向キーに保持され、駆動体に対する多方向キーの揺動は駆動体と多方向キーの一方に設けられた一対の軸が他方に設けられた一対の穴に挿入支持されることによって可能とされ、ベースに対する駆動体の揺動はベースと駆動体の一方に設けられた一対の軸が他方に設けられた一対の穴に挿入支持されることによって可能とされ、多方向キーの前記一対の軸もしくは穴は前記操作部の裏面に突出形成された一対の突出部に設けられているものとされる。
【００１４】
請求項２の発明では請求項１の発明において、センタキーは前記中央凹部の底面に形成された一対の窓に挿入される一対の抜け止め片を備え、抜け止め片の先端に形成されている爪が窓の周縁に引っかかることでセンタキーは抜け止めされる。
【００１５】
請求項３の発明では請求項１又は２の発明において、多方向キー及びセンタキーはそれぞれ各周辺スイッチ及び中央スイッチに向かって延びる押し棒を備える。
【００１６】
請求項４の発明では請求項３の発明において、各周辺スイッチと中央スイッチとを覆うラバーシートがベース内に配置され、各押し棒の先端はラバーシートの上面と接しているものとされる。
【００１７】
請求項５の発明では請求項４の発明において、各周辺スイッチ及び中央スイッチがそれぞれ位置する部分において、ラバーシートの下面と各周辺スイッチ及び中央スイッチとの各間には隙間が設けられる。
【００１８】
請求項６の発明では、請求項１乃至５のいずれかの発明において、各周辺スイッチ及び中央スイッチは、それぞれプリント配線板に形成された固定接点と、固定接点上に配置されたドーム状をなす可動接点とよりなり、各周辺スイッチ及び中央スイッチはカバーシートによって覆われる。
【発明の効果】
【００１９】
この発明によれば、駆動体を一つ用いるだけで多方向キーの複数方向への揺動を可能とし、多方向キーの多方向への傾倒操作を可能とすることができる。よって、従来に比し、駆動体を一つ削減することができ、その分、部品点数を削減することができる。
【図面の簡単な説明】
【００２０】
【図１】Ａはこの発明による多方向スイッチの一実施例を示す平面図、Ｂはその正面図。
【図２】図１ＡのＣ−Ｃ線拡大断面図。
【図３】図１に示した多方向スイッチの上方から見た分解斜視図。
【図４】図１に示した多方向スイッチの下方から見た分解斜視図。
【図５】Ａは図３に示したベースの表面側の詳細を示す斜視図、Ｂは図３に示したベースの裏面側の詳細を示す斜視図。
【図６】図３に示した多方向キーの裏面側の詳細を示す斜視図。
【図７】図１に示した多方向スイッチの多方向キーが傾倒操作された状態を示す断面図。
【図８】図１に示した多方向スイッチのセンタキーが押し下げ操作された状態を示す断面図。
【図９】多方向スイッチの従来例を示す断面図。
【図１０】図９に示した多方向スイッチの分解斜視図。
【発明を実施するための形態】
【００２１】
この発明の実施形態を図面を参照して実施例により説明する。
【００２２】
図１はこの発明による多方向スイッチの一実施例の外観を示したものであり、図２はその断面構造を示したものである。また、図３及び４は各部に分解して示したものである。
【００２３】
この例では多方向スイッチは、金属プレート３１と、ねじ３２と、両面テープ３３と、フレキシブルプリント配線板３４と、ドーム接点３５と、カバーシート３６と、ラバーシート３７と、ベース３８と、駆動体３９と、多方向キー４１と、センタキー４２とによって構成されている。まず、図３及び４を参照して主要各部の構成を説明する。
【００２４】
金属プレート３１は方形状をなし、その４隅にはこの多方向スイッチの取り付け固定用の穴３１ａが形成されている。また、各部の組み立てに使用する穴３１ｂ、３１ｃが形成されている。
【００２５】
フレキシブルプリント配線板３４は円形部３４ａと、円形部３４ａから延長形成されたケーブル部３４ｂとよりなる。円形部３４ａの中央には円形パターンと環状パターンとよりなる中央固定接点３４ｃが形成され、中央固定接点３４ｃを囲む円周上には中央固定接点３４ｃと同様、円形パターンと環状パターンとよりなる周辺固定接点３４ｄが形成されている。周辺固定接点３４ｄはこの例では４５°間隔で配列されて８つ形成されている。
【００２６】
カバーシート３６はフレキシブルプリント配線板３４の円形部３４ａと対応する大きさの円形をなす。カバーシート３６、フレキシブルプリント配線板３４及び両面テープ３３には金属プレート３１の穴３１ｂ、３１ｃと対応する穴３６ａ、３６ｂ、３４ｅ、３４ｆ、３３ａ、３３ｂが図３に示したように形成されている。
【００２７】
ラバーシート３７はカバーシート３６よりわずかに小さい円形をなし、フレキシブルプリント配線板３４の中央固定接点３４ｃ及び８つの周辺可動接点３４ｄと対応する各位置には上方に押し出された形状のドーム部３７ａが形成されている。ドーム部３７ａは外形が円錐台形状をなし、ドーム部３７ａの上面３７ｂは平面とされている。上面３７ｂと反対側の面には円形の突部３７ｃ（図２参照）が形成されている。
【００２８】
ラバーシート３７の裏面側には図４に示したように浅い溝３７ｄが環状をなすように形成されており、フレキシブルプリント配線板３４の８つの周辺可動接点３４ｄと対向して円周上に配列形成された８つのドーム部３７ａはこの溝３７ｄによって内部空間が互いに連通されている。なお、ラバーシート３７にも金属プレート３１の２つの穴３１ｂと対応する２つの穴３７ｅが形成されており、さらに周縁部には金属プレート３１の３つの穴３１ｃと対応して切り欠き３７ｆが３つ設けられている。
【００２９】
ベース３８は円筒部３８ａと、円筒部３８ａの上端側を塞ぐように設けられた上板部３８ｂとを備え、上板部３８ｂ上には一対の支持部３８ｃが突出形成されている。図５はベース３８の詳細を示したものであり、一対の支持部３８ｃは円筒部３８ａの径方向において板面が互いに対向するように設けられ、互いの対向面には座３８ｄを備えた軸３８ｅが互いに内向きに突出形成されている。軸３８ｅは突出方向に円柱とされ、その円柱軸と平行し、互いに１８０°をなす側面の位置が平面で切り欠かれた形状とされ、座３８ｄも突出方向に円柱とされ、同様にその円柱軸と平行し、互いに１８０°をなす側面の位置が平面で切り欠かれた形状とされている。なお、軸３８ｅの先端側上部は切り欠かれてテーパ面３８ｆが形成されている。
【００３０】
上板部３８ｂの中央には穴３８ｇが形成されており、外周寄りにも穴３８ｈが４５°間隔で周方向に配列されて形成されている。一対の支持部３８ｃは隣接する穴３８ｈ間の中央に位置しており、支持部３８ｃの両側に位置する２つの穴３８ｈは軸３８ｅの下方に設けられている開口３８ｉによって互いに連通されている。上板部３８ｂの内面には穴３８ｇを挟んで一対の円柱部３８ｋが突出形成されており、これら円柱部３８ｋにはねじ穴３８ｍがそれぞれ形成されている。
【００３１】
円筒部３８ａの内周面の周方向３箇所には肉厚部３８ｎが設けられており、円筒部３８ａの下端面より突出する３つのボス３８ｐがこれら肉厚部３８ｎに形成されている。肉厚部３８ｎを含む円筒部３８ａの下端面の内周側部分は図５Ｂに示したように全周に渡って切り欠かれて一段低くされており、この部分に全周に渡って突部３８ｑが形成されている。
【００３２】
駆動体３９は略円筒状をなし、周方向４箇所には平面部３９ａが設けられている。平面部３９ａは９０°間隔で設けられており、互いに対向する一対の平面部３９ａには穴３９ｂが形成され、もう一対の平面部３９ａの外側面には座３９ｃを備えた軸３９ｄが互いに外向きに突出形成されている。この座３９ｃを備えた軸３９ｄはベース３８の座３８ｄを備えた軸３８ｅと同様の形状を有するものとされている。なお、穴３９ｂが形成された平面部３９ａの外側面には下端から穴３９ｂに至る誘い込み用のテーパ面３９ｅが形成されている。テーパ面３９ｅは下端から穴３９ｂに向かって深さが徐々に浅くされている。
【００３３】
多方向キー４１は環状をなす操作部４１ａと、操作部４１ａで囲まれた円形をなす中央凹部４１ｂと、操作部４１ａの外周に設けられた周壁部４１ｃと、周壁部４１ｃの下端外周に突出形成されたフランジ部４１ｄと、８本の押し棒４１ｅと、一対の突出部４１ｆとを有する。図６は多方向キー４１の裏面側の詳細を示したものであり、８本の押し棒４１ｅと一対の突出部４１ｆは操作部４１ａの裏面に突出形成されている。
【００３４】
８本の押し棒４１ｅは周壁部４１ｃの内周面に沿って周方向に４５°間隔で配列されて設けられており、先端は周壁部４１ｃの下端面より大きく突出されている。押し棒４１ｅは段付きの円柱形状をなし、先端面には角部が曲面となるように面取りが施されている。なお、押し棒４１ｅは周壁部４１ｃの内側に位置する部分においては周壁部４１ｃと連結一体化されている。
【００３５】
一対の突出部４１ｆは多方向キー４１の径方向において中央凹部４１ｂを挟んで板面が互いに対向するように設けられており、これら突出部４１ｆには穴４１ｇが形成されている。一対の突出部４１ｆの互いの内側面には先端から穴４１ｇに至る誘い込み用のテーパ面４１ｈが形成されている。テーパ面４１ｈは駆動体３９のテーパ面３９ｅと同様、先端から穴４１ｇに向かって深さが徐々に浅くされている。なお、一対の突出部４１ｆは隣接する２本の押し棒４１ｅがなす角度（４５°）を２分する角度位置に位置されている。
【００３６】
中央凹部４１ｂの底面の中央には穴４１ｉが形成され、穴４１ｉを挟んで一対の窓４１ｋが形成されている。さらにこの例では窓４１ｋから周方向に９０°ずれた位置に位置決め穴４１ｍが形成されている。なお、中央凹部４１ｂの底面の外側面には穴４１ｉを囲むように円筒部４１ｎがわずかに突出形成されている。
【００３７】
操作部４１ａの上面には８つの突起４１ｐが周方向に配列され、放射状をなすように形成されている。これら突起４１ｐは操作部４１ａの裏面側に突出形成されている８本の押し棒４１ｅの位置と対応して設けられている。
【００３８】
センタキー４２は円柱部４２ａと、円柱部４２ａの下面中央に突出形成された押し棒４２ｂと、押し棒４２ｂを挟んで円柱部４２ａの下面に突出形成された一対の抜け止め片４２ｃと、抜け止め片４２ｃから周方向に９０°ずれた位置において円柱部４２ａの下面に突出形成された位置決め片４２ｄとを有する。押し棒４２ｂは円柱形状をなす。一対の抜け止め片４２ｃの先端には互いに外向きに爪４２ｅが突出形成されている。
【００３９】
各部の組み立ては以下のようにして行われる。
【００４０】
フレキシブルプリント配線板３４の円形部３４ａを両面テープ３３により金属プレート３１上に固定する。この時、金属プレート３１の各穴３１ｂ、３１ｃと、フレキシブルプリント配線板３４の各穴３４ｅ、３４ｆ及び両面テープ３３の各穴３３ａ、３３ｂの位置が一致される。
【００４１】
フレキシブルプリント配線板３４の中央固定接点３４ｃ上に可動接点をなすドーム接点３５を配置して中央スイッチ５１を構成し、８つの周辺固定接点３４ｄ上に同様にドーム接点３５をそれぞれ配置して周辺スイッチ５２を構成する。そして、これら中央スイッチ５１及び周辺スイッチ５２を覆うようにカバーシート３６をフレキシブルプリント配線板３４の円形部３４ａ上に配置固定する。カバーシート３６によりドーム接点３５は所定の位置に位置決め固定され、中央スイッチ５１及び周辺スイッチ５２はカバーシート３６によって保護される。なお、カバーシート３６の穴３６ａ、３６ｂの位置は、フレキシブルプリント配線板３４の穴３４ｅ、３４ｆの位置と一致される。
【００４２】
次に、ベース３８の一対の支持部３８ｃ間に駆動体３９を取り付ける。取り付けは駆動体３９の一対のテーパ面３９ｅをベース３８の一対の軸３８ｅに合わせて駆動体３９を押し込むことによって行われ、これにより駆動体３９の一対の穴３９ｂにベース３８の一対の軸３８ｅが挿入されて支持される。このように駆動体３９を取り付けることにより、駆動体３９はベース３８の一対の軸３８ｅがなす軸（揺動軸）ａ１回りに揺動自在とされてベース３８に支持される。
【００４３】
次に、多方向キー４１を駆動体３９に取り付ける。取り付けは多方向キー４１の一対のテーパ面４１ｈを駆動体３９の一対の軸３９ｄに合わせて多方向キー４１を押し込むことによって行われ、これにより多方向キー４１の一対の穴４１ｇに駆動体３９の一対の軸３９ｄが挿入されて支持される。多方向キー４１の中央凹部４１ｂは駆動体３９の内側に位置し、８本の押し棒４１ｅはベース３８に配列形成されている穴３８ｈに挿入位置される。多方向キー４１をこのように取り付けることにより、多方向キー４１は駆動体３９の一対の軸３９ｄがなす軸（揺動軸）ａ２回りに揺動自在とされて駆動体３９に支持される。なお、軸ａ１と軸ａ２は同一平面に位置し、互いに直交する位置関係とされる。
【００４４】
上記のようにして駆動体３９及び多方向キー４１が取り付けられたベース３８はカバーシート３６上に搭載される。この際、まず、ラバーシート３７をカバーシート３６上に配置した後、ベース３８を搭載する。ラバーシート３７の穴３７ｅ及び切り欠き３７ｆの位置はカバーシート３７の穴３６ａ、３６ｂの位置と一致される。ラバーシート３７の各ドーム部３７ａは中央スイッチ５１及び８つの周辺スイッチ５２上にそれぞれ位置し、ドーム部３７ａの内側に設けられている突部３７ｃと中央スイッチ５１及び８つの周辺スイッチ５２との各間には隙間ｓが設けられる。
【００４５】
ベース３８は３つのボス３８ｐをラバーシート３７の切り欠き３７ｆ及び切り欠き３７ｆの位置と一致されているカバーシート３６、フレキシブルプリント配線板３４、両面テープ３３、金属プレート３１の各穴３６ｂ、３４ｆ、３３ｂ、３１ｃに挿入して位置決めした後、２本のねじ３２でねじ止めすることによってカバーシート３６上に搭載固定される。２本のねじ３２は金属プレート３１の下面側から穴３１ｂ及び両面テープ３３、フレキシブルプリント配線板３４、カバーシート３６、ラバーシート３７の各穴３３ａ、３４ｅ、３６ａ、３７ｅを通ってベース３８のねじ穴３８ｍにねじ込まれる。
【００４６】
ベース３８の円筒部３８ａはラバーシート３７を囲む大きさとされており、周辺スイッチ５２及び中央スイッチ５１は円筒部３８ａによって囲まれる。なお、円筒部３８ａの下端面の内周側に形成されている突部３８ｑは図２に示したようにラバーシート３７の周縁部上に位置してラバーシート３７に食い込んだ状態となる。また、各周辺スイッチ５２に向かって延びている多方向キー４１の８本の押し棒４１ｅはそれぞれラバーシート３７のドーム部３７ａ上に位置して先端がドーム部３７ａの上面３７ｂと接触される。
【００４７】
最後に、センタキー４２を多方向キー４１に取り付ける。取り付けは多方向キー４１の中央凹部４１ｂの底面に形成されている穴４１ｉ、一対の窓４１ｋ、位置決め穴４１ｍにセンタキー４２の押し棒４２ｂ、一対の抜け止め片４２ｃ、位置決め片４２ｄを挿入することによって行われる。センタキー４２の円柱部４２ａは多方向キー４１の中央凹部４１ｂ内に位置し、一対の抜け止め片４２ｃの先端の爪４２ｅが図２に示したように窓４１ｋの周縁に引っかかることで抜け止めされる。これにより、センタキー４２は上下動可能とされて多方向キー４１に保持される。なお、中央スイッチ５１に向かって延びているセンタキー４２の押し棒４２ｂはラバーシート３７の中央のドーム部３７ａ上に位置して先端がドーム部３７ａの上面３７ｂと接触される。
【００４８】
以上により組み立てが完了し、図１、２に示した多方向スイッチが完成する。
【００４９】
上記のような構成とされた多方向スイッチでは、多方向キー４１は駆動体３９を介してベース３８に支持されて互いに直交する軸ａ１、軸ａ２回りにそれぞれ揺動可能とされており、これにより任意の方向へ多方向キー４１を傾倒操作することができるものとなっている。従って、用いる駆動体は一つであって、駆動体を二つ用いる従来例に比し、上述した多方向スイッチでは駆動体を一つ削減することができ、その分、部品点数を削減することができるものとなっている。
【００５０】
図７は多方向キー４１が押され、傾倒操作された状態を示したものであり、押し棒４１ｅによりラバーシート３７を介して傾倒側の周辺スイッチ５２のドーム接点３５が押されて周辺スイッチ５２がＯＮとなる。ラバーシート３７のドーム部３７ａは押されてつぶれ、かつ圧縮される。ドーム接点３５は押されてクリック反転する。
【００５１】
多方向キー４１への傾倒操作が解除されると、ドーム接点３５、ドーム部３７ａの復元力によって多方向キー４１は元の位置に復帰し、周辺スイッチ５２はＯＦＦとなる。
【００５２】
一方、センタキー４２が押し下げ操作されると、押し棒４２ｂによりラバーシート３７を介して中央スイッチ５１のドーム接点３５が押されて中央スイッチ５１がＯＮとなる。図８はこの様子を示したものである。ラバーシート３７のドーム部３７ａは押されてつぶれ、かつ圧縮される。ドーム接点３５は押されてクリック反転する。
【００５３】
センタキー４２の押し下げ操作が解除されると、ドーム接点３５、ドーム部３７ａの復元力によってセンタキー４２は元の位置に復帰し、中央スイッチ５１はＯＦＦとなる。
【００５４】
以上、この発明の実施例について説明したが、この例では、各周辺スイッチ５２及び中央スイッチ５１を覆うようにラバーシート３７を設け、ラバーシート３７の下面（ドーム部３７ａ内の突部３７ｃの先端面）と各周辺スイッチ５２及び中央スイッチ５１との各間には間隙ｓを設けている。このようにラバーシート３７を配置し、かつ隙間ｓを設けることにより、
【００５５】
１）多方向キー４１の傾倒操作時に、操作すべき周辺スイッチ５２に隣接する周辺スイッチ５２の干渉を軽減することができ、つまり隣接する周辺スイッチ５２のドーム接点３５の反力の影響を軽減することができ、これによりスイッチ荷重の増大を軽減することができる。
【００５６】
２）同様に、多方向キー４１の傾倒操作時に、中央スイッチ５１の干渉を軽減することができる。
【００５７】
３）多方向キー４１のストロークが長くなるため、多方向キー４１の傾倒操作時に、中央スイッチ５１が操作されるといった誤操作を防止することができる。
【００５８】
さらに、非操作状態で、押し棒４１ｅ、４２ｂがラバーシート３７にわずかに押し付けられている状態とすることにより、多方向キー４１及びセンタキー４２のがたつきを防止することができる。
【００５９】
また、ラバーシート３７は周縁部がベース３８の突部３８ｑによって押さえ込まれているため、各周辺スイッチ５２及び中央スイッチ５１は密封された空間に位置することになり、これにより各周辺スイッチ５２及び中央スイッチ５１に対して良好な防塵防滴性能を得ることができる。なお、周辺の８つのドーム部３７ａを連通するようにラバーシート３７に形成されている溝３７ｄは、ドーム部３７ａが押されてつぶされた際に、空気が他のドーム部３７ａへ逃げるための通路として機能する。
【００６０】
さらに、上述した実施例では、下記（ａ）〜（ｄ）に示したような特徴、長所を有するものとなっている。
【００６１】
（ａ）センタキー４２は一対の抜け止め片４２ｃが多方向キー４１の中央凹部４１ｂの底面によって抜け止めされて多方向キー４１に保持される構造とされているため、中央凹部４１ｂを囲む外周部分に、つまり操作部４１ａの裏面に、駆動体３９によって揺動自在に支持される部分（一対の突出部４１ｆ）を支障なく設けることができる。
【００６２】
（ｂ）センタキー４２に位置決め片４２ｄを設けているため、向きは必然的に決まり、１８０°回転して逆向きに取り付けられるといった不具合は発生しない。
【００６３】
（ｃ）多方向キー４１の各押し棒４１ｅの先端には面取りが施され、角部（エッジ）が除去されているため、多方向キー４１の傾倒操作時にラバーシート３７が押し棒４１ｅのエッジによって押し込まれるといったことを回避することができ、その点でラバーシート３７の損傷が生じにくく、耐久性が向上する。
【００６４】
（ｄ）ベース３８の一対の軸３８ｅ及び駆動体３９の一対の軸３９ｄはいずれも座３８ｄ、３９ｃを備えている。これら座３８ｄ、３９ｃは、揺動支持する相手方部品（駆動体３９、多方向キー４１）と接触する平面部分を限定するものであって、このような座３８ｄ、３９ｃを設ければ、相手方部品との接触面を磨きやすく、磨くことによって摩擦力を低減することができ、よって多方向キー４１のなめらかな揺動が可能となる。
【００６５】
なお、上述した実施例ではベース３８に設けられた一対の軸３８ｅが駆動体３９の一対の穴３９ｂに挿入支持されることによってベース３８に対する駆動体３９の揺動が可能となっているが、これとは逆に駆動体３９に一対の軸を設け、ベース３８に一対の穴を設けてもよい。同様に、駆動体３９に対する多方向キー４１の揺動支持構造として、上述した実施例とは逆に多方向キー４１に一対の軸を設け、駆動体３９に一対の穴を設けてもよい。
【００６６】
さらに、上述した実施例では多方向キー４１の傾倒操作により操作される周辺スイッチ５２を８つ備えているが、周辺スイッチ５２の数はこれに限定されるものではなく、例えば、４つであってもよい。
【符号の説明】
【００６７】
１１    ケース                              １１ａ    開口
１２    保持体                              １２ａ    軸支部
１２ｂ    第一の軸線                        １２ｃ    規制部
１２ｄ    中央ガイド部                      １２ｅ    外ガイド部
１３    第一の駆動体                        １３ａ，１３ｂ    軸孔
１４    第二の駆動体                        １４ａ    軸部
１４ｂ    第二の軸線                        １４ｃ    押圧部
１４ｄ    係合部                            １４ｅ    係止部
１５    操作体                              １５ａ    開口部
１５ｂ    操作部                            １５ｃ    係止部
１６    釦体                                １６ａ    係合孔
１６ｂ    アーム部                          １６ｃ    押圧部
１７    配線基板                            １８    中央スイッチ接点
１８ａ    押釦                              １９    外スイッチ接点
１９ａ    押釦                              ２０    押圧体
２１    カバー                              ２２    ビス
３１    金属プレート                        ３１ａ，３１ｂ，３１ｃ    穴
３２    ねじ                                ３３    両面テープ
３３ａ，３３ｂ    穴                        ３４    フレキシブルプリント配線板
３４ａ    円形部                            ３４ｂ    ケーブル部
３４ｃ    中央固定接点                      ３４ｄ    周辺固定接点
３４ｅ，３４ｆ    穴                        ３５    ドーム接点
３６    カバーシート                        ３６ａ，３６ｂ    穴
３７    ラバーシート                        ３７ａ    ドーム部
３７ｂ    上面                              ３７ｃ    突部
３７ｄ    溝                                ３７ｅ    穴
３７ｆ    切り欠き                          ３８    ベース
３８ａ    円筒部                            ３８ｂ    上板部
３８ｃ    支持部                            ３８ｄ    座
３８ｅ    軸                                ３８ｆ    テーパ面
３８ｇ，３８ｈ    穴                        ３８ｉ    開口
３８ｋ    円柱部                            ３８ｍ    ねじ穴
３８ｎ    肉厚部                            ３８ｐ    ボス
３８ｑ    突部                              ３９    駆動体
３９ａ    平面部                            ３９ｂ    穴
３９ｃ    座                                ３９ｄ    軸
３９ｅ    テーパ面                          ４１    多方向キー
４１ａ    操作部                            ４１ｂ    中央凹部
４１ｃ    周壁部                            ４１ｄ    フランジ部
４１ｅ    押し棒                            ４１ｆ    突出部
４１ｇ    穴                                ４１ｈ    テーパ面
４１ｉ    穴                                ４１ｋ    窓
４１ｍ    位置決め穴                        ４１ｎ    円筒部
４１ｐ    突起                              ４２    センタキー
４２ａ    円柱部                            ４２ｂ    押し棒
４２ｃ    抜け止め片                        ４２ｄ    位置決め片
４２ｅ    爪                                ５１    中央スイッチ
５２    周辺スイッチ
【図１】
2016066513.tif 000003
【図２】
2016066513.tif 000004
【図３】
2016066513.tif 000005
【図４】
2016066513.tif 000006
【図５】
2016066513.tif 000007
【図６】
2016066513.tif 000008
【図７】
2016066513.tif 000009
【図８】
2016066513.tif 000010
【図９】
2016066513.tif 000011
【図１０】
2016066513.tif 000012